(57)【要約】【課題】大型化することなく、異音を低減した照明器具を提供する。【解決手段】光源部１２と、前記光源部１２に給電する電源回路部１５と、前記光源部１２と前記電源回路部１５を配置する器具本体１１と、を有する照明器具１００において、前記電源回路部１５を覆う電源カバー１６を有し、前記電源回路部１５は磁性部品１９ａを少なくとも１つ有し、前記電源カバー１６は、少なくとも１つの磁性部品１９ａと対向する領域に貫通する複数の孔１６ｄを有する。【選択図】図４
2017152260.tif 000002
【特許請求の範囲】
【請求項１】
光源部と、
前記光源部に給電する電源回路部と、
前記光源部と前記電源回路部を配置する器具本体と、を有する照明器具において、
前記電源回路部を覆う電源カバーを有し、
前記電源回路部は磁性部品を少なくとも１つ有し、
前記電源カバーは、少なくとも１つの磁性部品と対向する領域に貫通する複数の孔を有する、照明器具。
【請求項２】
前記複数の孔を覆って取り付けられるシート部材をさらに有する、請求項１に記載の照明器具。
【請求項３】
前記シート部材は、不燃材料もしくは難燃材料からなる、請求項２に記載の照明器具。
【請求項４】
前記複数の孔の形状が円形状、楕円状、多角形状、扇形もしくはそれらの組み合わせである、請求項１から請求項３のうちいずれか一項に記載の照明器具。
【請求項５】
前記複数の孔の形状がスリット状の長孔である、請求項１から請求項３のうちいずれか一項に記載の照明器具。
【発明の詳細な説明】
【技術分野】
【０００１】
本発明は、異音を低減した照明器具に関する。
【背景技術】
【０００２】
従来から電気部品に起因する雑音や騒音等の異音対策を行った照明器具が知られている。（例えば、特許文献１、２参照）。
【０００３】
特許文献１には、雑音発生源となる電気部品を内装したシールドボックスをシャーシに対して雑音減衰空間を形成するように取り付けた構造を有する照明器具が開示されている。この照明器具は、シャーシとシールドボックスとの間に雑音減衰空間を形成しているので、シールドボックスから洩れる雑音を減衰して所定の雑音レベルにできるものである。
【０００４】
特許文献２には、インダクタンス要素を有するインバータ回路の構成部品を少なくとも２枚のプリンタ基板に分割して搭載し、両プリント基板の間に金属性の板を配置した放電点灯装置が開示されている。この放電灯点灯装置は、金属性の板の面方向において、インダクタンス要素（チョークコイル）の少なくとも最大面積部位に対向した部位に孔が設けられているため、金属性の板に対する集中したインダクタンス要素の漏れ磁束の鎖交が無くなり、当該部分において大きな渦電流が流れなくなるため、インダクタンス要素の漏れ磁束による金属性の板自身の吸引反発力が極めて小さくなり、騒音が低減できる。
【先行技術文献】
【特許文献】
【０００５】
【特許文献１】実公昭５９−３４６０号公報
【特許文献２】実公平７−１６９７号公報
【発明の概要】
【発明が解決しようとする課題】
【０００６】
しかしながら、特許文献１に開示された照明器具においては、電気部品から発生した雑音を減衰させるためにシャーシとシールドボックスとの間に空間を設けなければならず、照明器具の大型化が避けがたい。
【０００７】
また、特許文献２に開示された放電灯点灯装置においては、複数のプリント基板を金属性の板を介して配置させるため、装置の厚み寸法が増大化する。また、この放電灯点灯装置においては、インダクタンス要素の少なくとも最大面積部位に対向する金属性の板に最大面積部位より大きな孔を設けている。しかしながら、このような大きな孔を仮に照明器具の電気回路部を覆う電源ケースに設ければ、電源ケースに設けた孔からインダクタンス要素の最大面積部位が全て露出してしまう。そのため、電源ケースが最外郭となるような照明器具では用いることが出来ない場合があった。
【０００８】
そこで、本発明は、上記課題に鑑みてなされたものであり、大型化することなく、異音を低減した照明器具を提供することを目的とする。
【課題を解決するための手段】
【０００９】
本発明の解決しようとする課題は以上の如くであり、次にこの課題を解決するための手段を説明する。
【００１０】
即ち、本願に開示する照明器具は、
光源部と、
前記光源部に給電する電源回路部と、
前記光源部と前記電源回路部を配置する器具本体と、を有する照明器具において、
前記電源回路部を覆う電源カバーを有し、
前記電源回路部は磁性部品を少なくとも１つ有し、
前記電源カバーは、少なくとも１つの磁性部品と対向する領域に貫通する複数の孔を有するものである。
【００１１】
本願に開示する照明器具において、
前記複数の孔を覆って取り付けられるシート部材をさらに有することが好ましい。
【００１２】
本願に開示する照明器具において、
前記シート部材は、不燃材料もしくは難燃材料からなることが好ましい。
【００１３】
本願に開示する照明器具において、
前記複数の孔の形状が円形状、楕円状、多角形状、扇形もしくはそれらの組み合わせであることが好ましい。
【００１４】
本願に開示する照明器具において、
前記複数の孔の形状がスリット状の長孔であることが好ましい。
【発明の効果】
【００１５】
本発明によれば、大型化することなく、異音を低減した照明器具を実現することができる。
【図面の簡単な説明】
【００１６】
【図１】本発明の一実施形態に係る照明器具を示す斜視図。
【図２】照明器具を上方から見た上面図。
【図３】図２のＡ−Ａ線における側面一部断面図。
【図４】照明器具の電源カバーを下方から見た下面図。
【図５】図３のＢ−Ｂ線における断面図。
【図６】図３のＣ−Ｃ線における断面図。
【図７】電源装置を示す図であり、（ａ）は下面図、（ｂ）は側面図、（ｃ）は上面図。
【図８】複数の孔が正方配列となっている電源カバーの一部を示す上面図。
【図９】（ａ）は三角形状の複数の孔が上下交互に配列された電源カバーを示す下面図、（ｂ）は正方形状の複数の孔が縦横に配列された電源カバーを示す下面図、（ｃ）はスリット状の複数の長孔が配列された電源カバーを示す下面図。
【発明を実施するための形態】
【００１７】
次に、発明の実施の形態について図を用いて説明する。
【００１８】
本発明の実施形態に係る照明器具１００について、図１から図９を用いて説明する。本発明の実施形態に係る照明器具１００の形状は、図１に示すように、短手方向の長さに対して長手方向の長さの比率が大きい細長い略直方体である。照明器具１００の外形形状は平面視において長尺の長方形状である。なお、照明器具１００の外形形状は、本実施形態のように長尺の長方形状に限らず、その他の外径形状であってもよい。例えば、平面視において三角形状、四角形状、多角形状、円形状、楕円状等であってもよい。照明器具１００は、壁面や床面等に沿った被設置面Ｗに直接取り付ける直付け型の照明器具であり、単独で設置したり、複数本を長手方向に連続して設置可能である。なお、直付け型の照明器具に限らず、被設置面Ｗに形成された取付穴に埋め込まれて設置される埋込型の照明器具、又は、天井面等から吊り下げて設置される吊り下げ型の照明器具であってもよい。以下の説明では、照明器具１００の「前面側」は光を照射する側とし、「後面側」は前面側の反対側として説明する。また、図１及び図３等における上下方向を、照明器具１００の「上下方向」として説明する。
【００１９】
照明器具１００は、図１、図２及び図３に示すように、主に器具本体１１、光源部１２、セード１３、端子台１４、電源回路部１５及び電源カバー１６を有する電源装置１７、及び固定部１８を備えている。
【００２０】
器具本体１１は、照明器具１００の本体を形成する筐体である。器具本体１１には、光源部１２及び電源装置１７が配置される。器具本体１１は、断面形状が略Ｈ字型である。器具本体１１の両端には、端板部３１が取り付けられる。器具本体１１及び端板部３１は、放熱性を考慮し、熱伝導率の高いアルミニウム等の金属素材を用いて形成されている。器具本体１１は、押し出し材により形成されている。器具本体１１は、外壁となる一対の側板部２２と、一対の側板部２２の間に亘って形成される横板部２３（図６参照）とを有している。器具本体１１の一対の側板部２２の上方、下方は開放されており、長手方向の両端部も開放されている。側板部２２の上部には、セード１３を差し込んで保持させる上部溝部２４が対向して形成されている。横板部２３の短手方向の両端の下部には、端板部３１をネジ３９で取り付けるためのネジ取付部２５が形成されている。端板部３１は、図３に示すように、器具本体１１の長手方向両端部に取り付けられて、器具本体１１の両端部の開放された部分を閉塞するものである。
なお、器具本体１１及び端板部３１は、アルミニウムなどの金属材料に限定されない。所望の熱伝導率は強度などが確保できれば、樹脂等の材料を用いても良い。また、器具本体１１及び端板部３１は、熱伝導率の高い材料で形成されていることが好ましいが、熱伝導率の高い材料であることは必須ではない。
【００２１】
光源部１２は、基板８１の表面に点光源としての複数のＬＥＤ素子８２を備えたＬＥＤモジュールを有しており、器具本体１１の横板部２３の上部に配置される。光源部１２と電源装置１７は、電線（図示せず）によって電気的に接続されている。ＬＥＤ素子８２は、ピッチが一定になるように基板上に配置されている。
なお、本実施形態では、光源としてＬＥＤ素子８２を用いたが、光源の種類はＬＥＤ光源に限定されず、例えば有機ＥＬ素子（ＯＬＥＤ）であっても実現可能である。
【００２２】
セード１３は、器具本体１１の上部の開放部を閉塞し、器具本体１１内に配置された光源部１２からの光を透過及び拡散させて、照射面を形成する板状の部材である。セード１３は、透光性を有する半透明のアクリル樹脂素材等で形成され、器具本体１１の上部溝部２４の長手方向の一端部から差し込んで、光源部１２に対向する位置に保持される。
【００２３】
端子台１４は、外部商用電源からの電源線（図示せず）の端子が差込口に差し込まれて電気的に接続されるものである。端子台１４は、器具本体１１の横板部２３の下部において、器具本体１１の両端近傍に２個設けられている。端子台１４の差込口はそれぞれ器具本体１１の端部側に対向して設けられている。
【００２４】
電源装置１７は、電源回路部１５と、電源カバー１６とを有している。電源回路部１５は、光源部１２のＬＥＤモジュールが有するＬＥＤ素子８２に給電を行って、ＬＥＤ素子８２を点灯させるものである。具体的には、電源回路部１５は、外部商用電源から供給される交流電流を直流電流に変換し、変換後の電流を光源部１２に供給する。電源回路部１５は、所定形状に加工されたプリント配線基板２０上に複数の電子部品１９（図３参照）が実装された電源基板である。電子部品１９を構成する部品として、プリント配線基板２０の長手方向の一端近傍に少なくとも一つの磁性部品１９ａが実装されている。電源装置１７は、器具本体１１の横板部２３の下部に配置されている。電源装置１７は、端子台１４と電線１４ａによって電気的に接続されている。
ここで、磁性部品とは、例えばコイル部を有するインダクタンス部品である。具体的には、磁性部品とは、コアに巻線を巻いたものを指し、この巻線に電流を通電することにより、所望のインダクタンスを得るものである。
【００２５】
電源カバー１６は、電源回路部１５を覆う部材である。電源カバー１６は、長手方向の長さ寸法が器具本体１１の長手方向の長さ寸法よりも短い細長い部材である。電源カバー１６は、図７（ｂ）に示すように、側面視において略矩形状の部材である。電源カバー１６は、器具本体１１の下部の開放部の一部を閉塞するものである。電源カバー１６は金属の板金部材で形成され、細長い長方形状の平板部１６ａと、該平板部１６ａの両端から電源回路部１５を挟むように延設される平板状の両端部１６ｂを有している。両端部１６ｂの下端には、電源カバー１６の長手方向外側に向けて延出されたネジ取付部１６ｃを有し、該ネジ取付部１６ｃがネジ６２で器具本体１１の横板部２３に固定される。
【００２６】
電源カバー１６の平板部１６ａは、長手方向の一端近傍、かつ磁性部品１９ａに対向する面となる平板部１６ａを貫通する複数の孔１６ｄを有している。複数の孔１６ｄは、周期的に配列された円形状の孔である。このように、磁性部品１９ａに対向した領域に貫通する複数の孔１６ｄを設けることで、平板部１６ａに対する集中した磁性部品１９ａに起因する漏れ磁束の鎖交が減少し、当該部分において大きな渦電流が減少する。そのため、磁性部品１９ａの漏れ磁束による平板部１６ａ自身の吸引反発力も小さくなり、渦電流に起因する異音を低減することができる。また、磁性部品１９ａとの共振によって生じる平板部１６ａの振動は、金属の層だけではなく、複数の孔１６ｄ部分の空気の層にも伝播する。平板部１６ａに生じる振動は、空気の層によって粘性減衰するため、異音を低減する。複数の孔１６ｄは、互いに等間隔に配列された六方配列となっている。これにより、複数の孔１６ｄ同士の距離が均一となるため、応力集中が生じにくく、当該領域において機械的な強度を確保することができる。
なお、複数の孔１６ｄの配列は、上記の六方配列に限定されない。機械的強度が確保できれば、図８に示すように、縦横に等間隔に配列された正方配列Ｐであってもよい。
【００２７】
特許文献２のように電源カバー１６に磁性部品１９ａよりも大きな孔を設けてしまうと、使用者の手指と電気回路部１５との接触が想定されるため、安全面に支障が出るおそれがある。本実施形態では、複数の孔１６ｄの平面視における最大長さ寸法（本実施形態の複数の孔１６ｄでは、直径寸法）は、磁性部品１９ａの平面視における最大長さ寸法（本実施形態では、長方形における対角線寸法）よりも小さい。そのため、平板部１６ａと対向する磁性部品１９ａの表面の全面を露出させない。これにより、複数の孔１６ｄの各孔の寸法を使用者の手指と電気回路部１５とを接触不可能な寸法とすることができ、安全性を確保できる。
なお、複数の孔１６ｄの形状は、特に限定するものではなく、円形状の他、楕円状、三角形状（図９（ａ）の符号１６ｅ参照）、四角形状（図９（ｂ）の符号１６ｆ参照）、多角形状、扇形もしくはそれらの組み合わせであってもよい。
また、複数の孔１６ｄの形状は、１つまたは複数のスリット状の長孔１６ｇ（図９（ｃ）参照）であってもよい。
また、複数の孔１６ｄや上述した各形状の孔は、照明器具１００の取扱者の手指が入らない程度の寸法にすることが好ましい。例えば、スリット状の長孔であれば、該長孔の短手方向の長さ寸法が指先の直径寸法よりも小さく設定されることが好ましい。
【００２８】
シート部材７１は、図４に示すように、複数の孔１６ｄを一体的に覆って取り付けられるシート状の部材である。具体的には、シート部材７１は、樹脂からなる基材（例えば、塩化ビニル、ＰＥＴ、ＰＣ、セロハン等）の一方面（表面）に金属（本実施形態ではアルミニウムもしくはアルミニウム合金）が蒸着され、基材の他方面（裏面）に粘着剤（例えば、アクリル系粘着剤等）が塗布された金属蒸着シートである。シート部材７１は、複数の孔１６ｄの全てを閉塞して、平板部１６ａの表面に貼り付けられる。これにより、磁性部品１９ａによる共振をシート部材７１の粘弾性により低減し、電源カバー１６の平板部１６ａの振動を低減することができる。
なお、本実施形態の金属は、特に限定するものではなく、蒸着可能な金属であればよい。蒸着可能な金属としては、アルミの他、例えば、鉄、ニッケル、銅、クロム、亜鉛、スズ、銀等の種々の金属や種々の金属合金などが挙げられる。本実施形態で用いられるアルミ蒸着したシート部材７１は、化学的な扱いやすさや材料コストの面で好ましい。
また、シート部材７１は、金属材料に限らず、その他の不燃材料や難燃材料であってもよい。
また、シート部材７１の使用は、必須の構成ではないが、電源装置１７への埃や塵などの侵入を防止するとともに、安全性の向上のために使用することが好ましい。
【００２９】
固定部１８は、器具本体１１を被設置面Ｗに取り付けるためものである。固定部１８は、端板部３１及び取付部４１（図４参照）を備えている。端板部３１及び取付部４１は、それぞれ金属の板金部材で形成されている。固定部１８は、取付部４１を介してネジ部材により被設置面Ｗに直接取り付けられる。
【００３０】
【表１】
2017152260.tif 000003
【００３１】
［騒音試験（異音の低減効果）］
次に、上記のように構成された照明器具１００において、磁性部品１９ａに起因する異音の低減効果を検証するためにＪＩＳ規格に基づいて騒音試験を行った。試験サンプルとしては、表１に示す構成の電源カバー１６を備えた照明器具１００を準備した。試験サンプル１は、複数の孔１６ｄ及びシート部材７１が無いものであり従来品である。試験サンプル２は、複数の孔１６ｄのみを設けた電源カバーを備えたものである。試験サンプル３は、複数の孔１６ｄ及びシート部材７１の両方を備えたもの（本実施形態）である。
【００３２】
【表２】
2017152260.tif 000004
【００３３】
試験方法：ＪＩＳ  Ｃ  ８１１５（家庭用ＬＥＤ照明器具・家庭用蛍光灯器具）５．２．４騒音に準拠する方法
試験結果）
表２に試験サンプル１（従来品）の騒音レベル（ｄＢ）に対する各試験サンプルの騒音レベルの低減率（％）を示す。表２に示すとおり、各騒音レベルの低減率は、試験サンプル２は２．５％であり、試験サンプル３は８．３％であった。これにより、本実施形態の照明器具１００の構成による異音の低減効果が確認された。
【００３４】
なお、本実施形態の電源カバー１６の形状は一例であり、本実施形態の形状に限定されるものではない。例えば、電源カバーの外形が箱型や丸型やその他の形状であってもよい。
【００３５】
以上説明した本実施形態の照明器具１００は、電源回路部１５を覆う電源カバー１６を有し、電源カバー１６が少なくとも１つの磁性部品１９ａと対向する面を貫通する複数の孔１６ｄを有している。これにより、上述したように磁性部品１９ａに起因する異音を低減することができる。したがって、従来技術のように、異音を減衰させるような新たな構成を必要としない。よって、照明器具を大型化することなく、異音を低減した照明器具を実現することができる。
【符号の説明】
【００３６】
１１  器具本体
１２  光源部
１５  電源回路部
１６  電源カバー
１６ａ  平板部
１６ｄ  孔
１９ａ  磁性部品
７１  シート部材
１００  照明器具
【図１】
2017152260.tif 000005
【図２】
2017152260.tif 000006
【図３】
2017152260.tif 000007
【図４】
2017152260.tif 000008
【図５】
2017152260.tif 000009
【図６】
2017152260.tif 000010
【図７】
2017152260.tif 000011
【図８】
2017152260.tif 000012
【図９】
2017152260.tif 000013